(57)【要約】【課題】  緩衝器台を昇降路底面の所定位置に容易に設置することができるエレベーターの緩衝器台芯出し装置を得る。【解決手段】  昇降路１の下げ振り線２による芯出し位置に対応した昇降路１内の所定位置に取付体４を装着する。また、支持体７の両端を取付体４と水平芯出し体８に締結して水平芯出し体８を水平投影面における所定位置に配置する。そして、昇降路１底面１３の緩衝器台１２の長手端に鉛直芯出し体１４を配置し所定位置に鉛直姿勢に立設する。  そして、水平芯出し体８の芯出し基準面に鉛直芯出し体１４の芯出し面が接する状態に緩衝器台１２位置を調整して芯出しする。このため、取付体４の高さを緩衝器台１２の高さに合わせる作業を省き、緩衝器台１２の所定位置設置を容易化する。【選択図】        図１
2005350254.tif 000002
【特許請求の範囲】
【請求項１】
エレベーターの昇降路の上部から吊下されて上記昇降路の水平投影面における芯出し基準位置に配置された下げ振り線と、上記昇降路の下端部寄りの壁面に装着されて長手が上記壁面に沿って配置されると共に水平に配置され、水平投影面において上記下げ振り線位置に対応した所定位置に配置された取付体と、一側が上記取付体の所定位置に締結され他側は上記取付体から上記昇降路の水平投影面における中心側へ水平に突出して配置された支持体と、上記取付体位置に対応した高さに配置され水平投影面において上記取付体に対する所定位置に配置されて、長手両端部にそれぞれ芯出し基準面が設けられて上記支持体の他端に締結された水平芯出し体と、上記取付体位置よりも下方の上記昇降路の底面に配置された緩衝器台の長手両端にそれぞれ設けられて、下端が上記緩衝器台の長手端部における所定位置に締結されて鉛直姿勢に立設されると共に、上端側は側面に形成された芯出し面が上記水平芯出し体の芯出し基準面に接して配置されて、上記緩衝器台を上記下げ振り線位置に対応した所定位置に芯出しする鉛直芯出し体とを備えたエレベーターの緩衝器台芯出し装置。
【請求項２】
水平芯出し体を、長手端部にエレベーターの案内レールにおける横断面形に相当する形状の凹所が設けられて、上記凹所内の鉛直面からなり取付体の長手に平行に配置された第一芯出し基準面及びこの第一芯出し基準面に直交した第二芯出し基準面が形成されたものとし、また鉛直芯出し体を、横断面がエレベーターの案内レールの横断面形に形成されて、側面に上記第一芯出し基準面に接する第一芯出し面及び上記第二芯出し基準面に接する
第二芯出し面が形成されたものとしたことを特徴とする請求項１記載のエレベーターの緩衝器台芯出し装置。
【請求項３】
鉛直芯出し体を、エレベーターの本設用の案内レールからなるものとしたことを特徴とする請求項２記載のエレベーターの緩衝器台芯出し装置。
【請求項４】
水平芯出し体を、長手端部に設けられた凹所内の鉛直面によって構成されて、取付体の長手に平行に配置された第一芯出し基準面及びこの第一芯出し基準面に直交した第二芯出し基準面が形成されたものとし、また鉛直芯出し体を、軽量に製作された棒状体からなり側面に上記第一芯出し基準面に接する第一芯出し面及び上記第二芯出し基準面に接する第二芯出し面が形成されたものとしたことを特徴とする請求項１記載のエレベーターの緩衝器台芯出し装置。
【請求項５】
水平芯出し体から鉛直芯出し体の長手に沿って吊下された下げ振り線を備えたことを特徴とする請求項１〜請求項４のいずれか一つに記載のエレベーターの緩衝器台芯出し装置。
【発明の詳細な説明】
【技術分野】
【０００１】
この発明は、緩衝器が立設される緩衝器台位置を昇降路底面の所定位置に設定するエレベーターの緩衝器台芯出し装置に関する。
【背景技術】
【０００２】
従来のエレベーターの据付作業では、昇降路の上端部に芯出し用の型板が仮設されて、芯出し用の型板から乗場機器の据付のための乗場機器側下げ振り線が昇降路の水平投影面における所定位置に吊下される。そして、乗場機器側下げ振り線を基準として昇降路壁面の所定位置に乗場側芯出部材が仮設され、この乗場側芯出部材を基準とした芯出し治具を介して緩衝器台が昇降路底面の所定位置に設置される。（例えば、特許文献１参照）。
【０００３】
【特許文献１】特許２６９２５２５号公報（第２頁、図４）
【発明の開示】
【発明が解決しようとする課題】
【０００４】
従来のエレベーターの緩衝器台芯出し装置では、昇降路壁面に配置される乗場側芯出部材が昇降路底面の緩衝器台と同じ高さに取付けられる。このため、緩衝器台の高さを計測してその高さに対応した高さの昇降路壁面位置に乗場側芯出部材を装着する作業が行われる。したがって、緩衝器台を昇降路底面の所定位置に設置するために煩雑な手数が掛かるという問題点があった。
【０００５】
この発明は、かかる問題点を解消するためになされたものであり、緩衝器台を昇降路底面の所定位置に容易に設置することができるエレベーターの緩衝器台芯出し装置を得ることを目的とする。
【課題を解決するための手段】
【０００６】
この発明に係るエレベーターの緩衝器台芯出し装置においては、エレベーターの昇降路の上部から吊下されて昇降路の水平投影面における芯出し基準位置に配置された下げ振り線と、昇降路の下端部寄りの壁面に装着されて長手が壁面に沿って配置されると共に水平に配置され、水平投影面において下げ振り線位置に対応した所定位置に配置された取付体と、一側が取付体の所定位置に締結され他側は取付体から昇降路の水平投影面における中心側へ水平に突出して配置された支持体と、取付体位置に対応した高さに配置され水平投影面において取付体に対する所定位置に配置されて、長手両端部にそれぞれ芯出し基準面が設けられて支持体の他端に締結された水平芯出し体と、取付体位置よりも下方の昇降路底面に配置された緩衝器台の長手両端にそれぞれ設けられて、下端が緩衝器台の長手端部における所定位置に締結されて鉛直姿勢に立設されると共に、上端側は側面に形成された芯出し面が水平芯出し体の芯出し基準面に接して配置されて、緩衝器台を下げ振り線位置に対応した所定位置に芯出しする鉛直芯出し体とが設けられる。
【発明の効果】
【０００７】
この発明によるエレベーターの緩衝器台芯出し装置は、昇降路の上部から吊下された下げ振り線による芯出し基準位置に対応した昇降路内の所定位置に取付体が装着される。また、支持体の一側が取付体の所定位置に締結され、支持体の他側に水平芯出し体が締結されて水平に配置され、水平投影面において支持体を介して取付体に対する所定位置に水平芯出し体が配置される。そして、緩衝器台が昇降路底面に配置されて、緩衝器台の長手両端にそれぞれ鉛直芯出し体が配置され、下端が緩衝器台の長手端部における水平投影面に対する所定位置に締結されて鉛直姿勢に立設される。
【０００８】
そして、水平芯出し体の芯出し基準面に、鉛直芯出し体の芯出し面が接する状態に緩衝器台位置が調整される。これによって、下げ振り線による芯出し基準位置に対して、取付体、支持体、水平芯出し体及び鉛直芯出し体を介し、緩衝器台の位置が昇降路底面の所定位置に設定される。このため、昇降路壁面に装着される取付体の高さ方向位置と、昇降路底面の緩衝器台の高さをそれぞれ計測し、それらの高さに対応した昇降路壁面位置に取付体を装着する作業を省くことができる。したがって、緩衝器台を簡易な作業によって容易に昇降路底面の所定位置に設置することができ、緩衝器台の据付作業能率を向上でき据付費を低減する効果がある。
【発明を実施するための最良の形態】
【０００９】
実施の形態１．
図１及び図２は、この発明の実施の形態を示す図で、図１はエレベーター昇降路の底部箇所の斜視図、図２は図１の水平芯出し体と鉛直芯出し体の配置を示す斜視図である。図において、昇降路１の上部から二本の下げ振り線２が、昇降路１壁面に沿う方向に互いに離れて吊下されて、昇降路１の水平投影面における芯出し基準位置に配置される。そして、昇降路１に設けられた乗場出入口３の下方に取付体４が配置される。
【００１０】
なお、取付体４は昇降路１の壁面５に装着された互いに水平方向に離れて配置された取付金具６に締結されて、長手が壁面５に沿って配置されると共に水平に配置され、水平投影面において下げ振り線２位置に対応した所定位置に装着される。また、昇降路１に支持体７が配置されて一側は取付体４の所定位置に締結され、他側は取付体４から昇降路１の水平投影面における中心側へ水平に突出して配置される。なお、支持体７は三本の棒材が水平投影面においてＮ字状に組み合わされて形成されている。
【００１１】
そして、昇降路１の取付体４位置に対応した高さに棒状の水平芯出し体８が水平に配置されて、水平投影面において支持体７を介して取付体４に対する所定位置に配置されて持体７の他側に締結される。また、水平芯出し体８の長手両端部にそれぞれ後述する案内レールの横断面形に相当する形状の凹所９が設けられて、凹所９内の鉛直面からなり取付体４の長手に平行に配置された第一芯出し基準面１０及び第一芯出し基準面１０に直交した第二芯出し基準面１１が凹所９に形成される。
【００１２】
また、緩衝器台１２が昇降路１の底面１３に搬入されて仮置きされる。
そして、横断面がエレベーターの案内レールと同形であって同寸法をなし、いわゆる案内レールの模型からなる鉛直芯出し体１４が緩衝器台１２の長手両端にそれぞれ配置されて、上端が水平芯出し体８位置よりも上方に突出した状態に配置される。
【００１３】
また、鉛直芯出し体１４の案内レール形状における案内部の側面に第一芯出し基準面１０に対応した第一芯出し面１５及び案内レール形状における案内部の前端面に第二芯出し基準面１１に対応した第二芯出し面１６が形成される。なお、鉛直芯出し体１４は下端が、緩衝器台１２の長手端部に設けられた締結金具に着脱自在に仮締結され、緩衝器台１２に対して鉛直姿勢に立設される。
【００１４】
上記のように構成されたエレベーターの緩衝器台芯出し装置において、昇降路１の上部から下げ振り線２が吊下されて、昇降路１の水平投影面における芯出し基準位置に配置される。そして、下げ振り線２による芯出し基準位置に対応した位置に取付金具６を介して取付体４が装着される。次いで、支持体７の一側が取付体４の所定位置に締結され、支持体７の他側に水平芯出し体８が締結されて水平に配置され、水平投影面において支持体７を介して取付体４に対する所定位置に水平芯出し体８が配置される。
【００１５】
そして、緩衝器台１２が昇降路１の底面１３に配置されて、緩衝器台１２の長手両端にそれぞれ鉛直芯出し体１４が配置され下端が緩衝器台１２の長手端部における所定位置に仮締結されて鉛直芯出し体１４が鉛直姿勢に立設される。次いで、水平芯出し体８の凹所９に鉛直芯出し体１４が嵌合されて、水平芯出し体８の第一芯出し基準面１０に、鉛直芯出し体１４の第一芯出し面１５が接する状態に配置される。
【００１６】
さらに、水平芯出し体８の第二芯出し基準面１１に、鉛直芯出し体１４の第二芯出し面１６が接する状態に配置されるように、昇降路１底面１３における緩衝器台１２の位置が調整される。これによって、下げ振り線２による芯出し基準位置に対して、取付体４、支持体７、水平芯出し体８及び鉛直芯出し体１４を介し、緩衝器台１２の位置が昇降路１底面１３の所定位置に設定されて、適宜な固定手段によって緩衝器台１２が昇降路１底面１３に据付けられる。
【００１７】
そして、水平芯出し体８の鉛直に形成された第一芯出し基準面１０等に、鉛直芯出し体１４の側面に形成された第一芯出し面１５が接して配置される。したがって、取付体４と緩衝器台１２の高さ方向の差異に関係なく、水平芯出し体８に鉛直芯出し体１４を接して配置することができて、鉛直芯出し体１４を介して緩衝器台１２を昇降路１底面１３の所定位置に芯出しすることができる。
【００１８】
このため、昇降路１の壁面５に装着される取付体４の高さ方向位置と、昇降路１底面１３の緩衝器台１２の高さをそれぞれ計測し、それらの高さに対応した昇降路１壁面５位置に取付体４を装着する作業を省くことができる。したがって、緩衝器台１２を簡易な作業によって容易に昇降路１底面１３の所定位置に設置することができ、緩衝器台１２の据付作業能率を向上でき据付費を低減することができる。
【００１９】
また、取付体４と緩衝器台１２の高さ方向位置がエレベーターの据付現場によって相違するが、この高さ方向位置の相違に対して同じ長さの鉛直芯出し体１４によって容易に対応することができる。したがって、緩衝器台１２の芯出し作業を能率化することができる。また、エレベーターの案内レールの実物を鉛直芯出し体１４として使用することによって、エレベーターの据付工事終了後に本設の案内レールとして使用することができる。このため、鉛直芯出し体１４を撤去する作業を省くことができエレベーターの据付作業の手数を省くことができる。
【００２０】
実施の形態２．
図３は、この発明の他の実施の形態を示す図で、前述の図２相当図である。なお、図３の他は前述の図１及び図２の実施の形態と同様にエレベーターの緩衝器台芯出し装置が構成されている。図において、図１及び図２と同符号は相当部分を示し、水平芯出し体８の凹所９内の鉛直面からなり取付体４の長手に平行に配置された第一芯出し基準面１７及び第一芯出し基準面１７に直交した第二芯出し基準面１８が形成される。
【００２１】
また、横断面がエレベーターの案内レールと同形であって同寸法をなし、いわゆる案内レールの模型からなる鉛直芯出し体１４が緩衝器台１２の長手両端にそれぞれ設けられる。そして、鉛直芯出し体１４の案内レール形状における案内部の側面に第一芯出し基準面１７に対応する第一芯出し面１５が形成され、また案内レール形状における基部背面に第二芯出し基準面１８に対応する第二芯出し面１９が形成される。
【００２２】
上記のように構成されたエレベーターの緩衝器台芯出し装置においても、昇降路１の上部から下げ振り線２が吊下されて、下げ振り線２による芯出し基準位置に対応した取付体４、取付体４の所定位置に締結された支持体７及び支持体７を介して取付体４に対する所定位置に配置された水平芯出し体８が設けられる。そして、水平芯出し体８の凹所９に鉛直芯出し体１４が嵌合されて、水平芯出し体８の第一芯出し基準面１７に第一芯出し面１５が接し、第二芯出し基準面１８に第二芯出し面１９が接する状態に配置される。
【００２３】
そして、鉛直芯出し体１４が鉛直に立設されて第一芯出し基準面１７に第一芯出し面１５が接し、第二芯出し基準面１８に第二芯出し面１９が接するように緩衝器台１２を配置する。これによって、緩衝器台１２が芯出しされて昇降路１底面１３の所定位置に配置される。したがって、詳細な説明を省略するが図３の実施の形態においても図１及び図２の実施の形態と同様な作用が得られる。
【００２４】
実施の形態３．
図４も、この発明の他の実施の形態を示す図で、前述の図２相当図である。なお、図４の他は前述の図１及び図２の実施の形態と同様にエレベーターの緩衝器台芯出し装置が構成されている。図において、図１及び図２と同符号は相当部分を示し、水平芯出し体８の長手端部の上面から鉛直芯出し体１４の長手に沿って下げ振り線２０が吊下される。
【００２５】
上記のように構成されたエレベーターの緩衝器台芯出し装置においても、昇降路１の上部から下げ振り線２が吊下されて、下げ振り線２による芯出し基準位置に対応した取付体４、取付体４の所定位置に締結された支持体７及び支持体７を介して取付体４に対する所定位置に配置された水平芯出し体８が設けられる。そして、水平芯出し体８の凹所９に鉛直芯出し体１４に嵌合されて、水平芯出し体８の第一芯出し基準面１０に第一芯出し面１５が接し、第二芯出し基準面１１に第二芯出し面１６が接する状態に配置される。
【００２６】
そして、鉛直芯出し体１４が鉛直に立設されて第一芯出し基準面１０に第一芯出し面１５が接し、第二芯出し基準面１１に第二芯出し面１６が接するように緩衝器台１２を配置する。これによって、緩衝器台１２が芯出しされて昇降路１底面１３の所定位置に配置される。したがって、詳細な説明を省略するが図４の実施の形態においても図１及び図２の実施の形態と同様な作用が得られる。また、図４の実施の形態において、下げ振り線２０によって容易に鉛直芯出し体１４を鉛直に立設することができるので、緩衝器台１２の芯出し作業を能率化することができる。
【００２７】
実施の形態４．
図５も、この発明の他の実施の形態を示す図で、前述の図１相当図である。なお、図５の他は前述の図１及び図２の実施の形態と同様にエレベーターの緩衝器台芯出し装置が構成されている。図において、図１及び図２と同符号は相当部分を示し、アルミニウムの角棒、鋼板が屈折されてなる軽量型鋼等であって軽量に製作された棒状体からなる鉛直芯出し体２１が使用されて、鉛直芯出し体２１の下端が緩衝器台１２の長手端部における所定位置に仮締結されて鉛直姿勢に立設される。
【００２８】
そして、鉛直芯出し体２１の側面には図示が省略してあるが、前述の案内レールの模型からなる鉛直芯出し体１４における案内部の側面の第一芯出し基準面１０に対応する第一芯出し面及び案内レール形状における案内部の前端面の第二芯出し基準面１１に対応する第二芯出し面が形成されている。
【００２９】
上記のように構成されたエレベーターの緩衝器台芯出し装置においても、昇降路１の上部から下げ振り線２が吊下されて、下げ振り線２による芯出し基準位置に対応した取付体４、取付体４の所定位置に締結された支持体７及び支持体７を介して取付体４に対する所定位置に配置された水平芯出し体８が設けられる。そして、水平芯出し体８の凹所９に鉛直芯出し体２１が嵌合されて、水平芯出し体８の第一芯出し基準面１０に第一芯出し面が接し、第二芯出し基準面１１に第二芯出し面が接する状態に配置される。
【００３０】
そして、鉛直芯出し体１４が鉛直に立設されて第一芯出し基準面１０に第一芯出し面が接し、第二芯出し基準面１１に第二芯出し面が接するように緩衝器台１２を配置する。これによって、緩衝器台１２が芯出しされて昇降路１底面１３の所定位置に配置される。したがって、詳細な説明を省略するが図５の実施の形態においても図１及び図２の実施の形態と同様な作用が得られる。また、図５の実施の形態において、軽量材料によって製作された角棒からなる鉛直芯出し体２１が使用されるので、取り扱いが容易にでき芯出し作業能率が向上し、また芯出し精度を向上することができる。
【図面の簡単な説明】
【００３１】
【図１】この発明の実施の形態１を示す図で、エレベーター昇降路の底部箇所の斜視図。
【図２】図１の水平芯出し体と鉛直芯出し体の配置状況を示す斜視図。
【図３】この発明の実施の形態２を示す図で、前述の図２相当図。
【図４】この発明の実施の形態３を示す図で、前述の図２相当図。
【図５】この発明の実施の形態４を示す図で、前述の図１相当図。
【符号の説明】
【００３２】
１  昇降路、２  下げ振り線、４  取付体、５  壁面、７  支持体、８  水平芯出し体、１０  第一芯出し基準面（芯出し基準面）、１１  第二芯出し基準面（芯出し基準面）、１２  緩衝器台、１３  底面、１４  鉛直芯出し体、１５  第一芯出し面、１６  第二芯出し面、２０  下げ振り線、２１  鉛直芯出し体。
【図１】
2005350254.tif 000003
【図２】
2005350254.tif 000004
【図３】
2005350254.tif 000005
【図４】
2005350254.tif 000006
【図５】
2005350254.tif 000007